(57)【要約】【課題】定置式の操作部を利用しつつも配線接続を要せず、且つ、電池を切らさないようにしなければならないというユーザへの負担を強いる必要が無い警報機能付き照明装置、及び監視システムを提供する。【解決手段】警報機能付き照明装置１は、ユーザの操作対象となるスイッチ部、スイッチ部へのユーザ操作が有った場合に発電を行う発電部材、及び発電部材からの電力を利用して操作信号を無線送信する無線送信部を有し、固定体ＦＢに対して設置された定置式の無線操作部１０と、光源、無線操作部１０の無線送信部から無線送信された操作信号を受信する無線受信部、監視領域の異常が検出された場合に警報を行う警報機能部、及び、無線受信部にて操作信号を受信したタイミングに応じて光源の点灯状態及び警報機能部の動作状態の少なくとも一方を変化させる制御部を有した照明装置２０とを備える。【選択図】図２
2017147167.tif 000002
【特許請求の範囲】
【請求項１】
ユーザの操作対象となるスイッチ部、前記スイッチ部へのユーザ操作が有った場合に発電を行う発電部材、及び前記発電部材からの電力を利用して操作信号を無線送信する無線送信部を有し、固定体に対して設置された定置式の無線操作部と、
光源、前記無線操作部の前記無線送信部から無線送信された操作信号を受信する無線受信部、監視領域の異常が検出された場合に警報を行う警報機能部、及び、前記無線受信部にて操作信号を受信したタイミングに応じて前記光源の点灯状態及び前記警報機能部の動作状態の少なくとも一方を変化させる制御部を有した照明装置と、
を備えることを特徴とする警報機能付き照明装置。
【請求項２】
前記制御部は、前記操作信号を受信して前記光源を消灯している状態から点灯させるときに、前記警報機能部から音声出力させる
ことを特徴とする請求項１に記載の警報機能付き照明装置。
【請求項３】
前記照明装置は、前記光源、及び前記警報機能部の双方を収納する筐体を備え、前記筐体は、当該筐体外の煙、熱及びガスの少なくとも１つを前記警報機能部まで導く開口部を有する
ことを特徴とする請求項１又は請求項２のいずれかに記載の警報機能付き照明装置。
【請求項４】
請求項１から請求項３のいずれか１項に記載の警報機能付き照明装置と、前記警報機能付き照明装置の前記警報機能部の動作に関する情報を受信する監視センターと、を備えた監視システムであって、
前記警報機能付き照明装置の前記制御部は、前記操作信号の受信に関する情報を前記監視センターに送信し、
前記監視センターは、前記警報機能付き照明装置から送信される前記操作信号の受信に関する情報に基づいて、ユーザに異常が発生しているかを判断する
ことを特徴とする監視システム。
【発明の詳細な説明】
【技術分野】
【０００１】
本発明は、警報機能付き照明装置及び監視システムに関する。
【背景技術】
【０００２】
従来、監視領域内で発生した異常を検出して警報を行う警報器を照明装置と電気的に接続すると共に、警報器と照明装置とに対してリモコン操作を行うことができるようにした警報機能付き照明装置が提案されている。この装置では、警報時に発せられる警報音声をリモコンにて停止させることができる。また、この装置では、監視領域内における異常を検出した場合の照明装置による照明状態に応じて警報内容を異ならせ、警報内容に応じて照明装置を点灯や点滅させるようにしている（例えば特許文献１参照）。
【０００３】
また、光源に電力を供給する給電部を有する基台を備え、基台に対して煙、ガス、熱等の異常を検出する機能モジュールを着脱自在に構成した警報機能付き照明装置についても提案されている（例えば特許文献２参照）。
【先行技術文献】
【特許文献】
【０００４】
【特許文献１】特許第４８５４１７９号公報
【特許文献２】特開２０１３−２５９９２号公報
【発明の概要】
【発明が解決しようとする課題】
【０００５】
ここで、一般に照明装置は、壁面等の固定体に対して取り付けられる定置式の操作部まで配線接続されており、当該操作部を操作することでオンオフされるようになっている。このため、特許文献１，２に記載されるような警報機能付き照明装置においても、定置式の操作部まで配線接続されることとなる。
【０００６】
一方で、このような配線接続を無くしたい場合には、特許文献１に記載のリモコンが採用される。ここで、リモコンを採用した場合にはリモコン動作用のバッテリ（電池）が必要となってしまう。このため、例えば警報機能付き照明装置において警報音声を停止させるためにリモコン操作を要する場合、リモコンの電池切れ時には警報音声を停止させることができなくなってしまうことから、ユーザはリモコンの電池を切らさないように注意しなければならない。
【０００７】
以上のように、警報機能付き照明装置においては、定置式の操作部まで配線接続を要するか、又は、リモコン動作用の電池を切らさないように注意しなければならないというユーザへの負担を強いてしまう実情がある。
【０００８】
本発明はこのような従来の課題を解決するためになされたものであり、その発明の目的とするところは、定置式の操作部を利用しつつも配線接続を要せず、且つ、電池を切らさないようにしなければならないというユーザへの負担を強いる必要が無い警報機能付き照明装置、及び監視システムを提供することにある。
【課題を解決するための手段】
【０００９】
本発明の警報機能付き照明装置は、ユーザの操作対象となるスイッチ部、前記スイッチ部へのユーザ操作が有った場合に発電を行う発電部材、及び前記発電部材からの電力を利用して操作信号を無線送信する無線送信部を有し、固定体に対して設置された定置式の無線操作部と、光源、前記無線操作部の前記無線送信部から無線送信された操作信号を受信する無線受信部、監視領域の異常が検出された場合に警報を行う警報機能部、及び、前記無線受信部にて操作信号を受信したタイミングに応じて前記光源の点灯状態及び前記警報機能部の動作状態の少なくとも一方を変化させる制御部を有した照明装置と、を備えることを特徴とする。
【００１０】
この警報機能付き照明装置によれば、操作信号を無線送信して光源の点灯状態及び警報機能部の動作状態を変化させるため、定置式の操作部を利用しつつも配線接続を要しないこととなる。さらに、ユーザ操作が有った場合に発電を行い、この電力を利用して操作信号を無線送信することから、電池を必要としない構成となり、電池切れの可能性を無くすことができる。従って、定置式の操作部を利用しつつも配線接続を要せず、且つ、電池を切らさないようにしなければならないというユーザへの負担を強いる必要が無い警報機能付き照明装置を提供することができる。
【００１１】
また、本発明の警報機能付き照明装置において、前記制御部は、前記操作信号を受信して前記光源を消灯している状態から点灯させるときに、前記警報機能部から音声出力させることが好ましい。
【００１２】
この警報機能付き照明装置によれば、制御部は、操作信号を受信して光源を消灯している状態から点灯させるときに、警報機能部から音声を出力させるため、夕方以降の帰宅時などの入室のタイミングで、警報機能部が動作していることをユーザに伝えることができ、警報機能部が有効に機能し保安状態にあることの安心感をユーザに与えることができる。
【００１３】
また、本発明の警報機能付き照明装置において、前記照明装置は、前記光源、及び前記警報機能部の双方を収納する筐体を備え、前記筐体は、当該筐体外の煙、熱及びガスの少なくとも１つを前記警報機能部まで導く開口部を有することが好ましい。
【００１４】
この警報機能付き照明装置によれば、照明装置は、光源、及び警報機能部の双方を収納する筐体を備えるため、警報機能部が筐体内に収納されて、外見上は通常の照明装置と同様とでき、意匠性の低下を防止することが可能となる。また、筐体は筐体外の煙、熱及びガスの少なくとも１つを開口部を通じて警報機能部まで導くことから、警報機能部が筐体内に収納されることで監視領域の異常検知感度が極端に低下してしまうことも防止することができる。
【００１５】
また、本発明の監視システムは、上記のいずれか１つに記載の警報機能付き照明装置と、前記警報機能付き照明装置の前記警報機能部の動作に関する情報を受信する監視センターと、を備えた監視システムであって、前記警報機能付き照明装置の前記制御部は、前記操作信号の受信に関する情報を前記監視センターに送信し、前記監視センターは、前記警報機能付き照明装置から送信される前記操作信号の受信に関する情報に基づいて、ユーザに異常が発生しているかを判断することを特徴とする。
【００１６】
この監視システムによれば、警報機能部の動作に関する情報を受信する監視センターに対して、操作信号の受信に関する情報を送信するため、例えばガス警報器の情報を集約するガス管理センターなどに、操作信号の受信に関する情報を送信して、照明の利用状況をガス管理センターなどで監視することができる。そして、この監視結果から、例えばユーザが長期に亘って照明を利用していないなどの場合には、ユーザに異常が発生していると判断する。このように、警報機能部に応じたセンターにおいて、照明の利用状況からユーザの見守りシステムを実現することができる。
【発明の効果】
【００１７】
本発明によれば、定置式の操作部を利用しつつも配線接続を要せず、且つ、電池を切らさないようにしなければならないというユーザへの負担を強いる必要が無い警報機能付き照明装置、及び監視システムを提供することができる。
【図面の簡単な説明】
【００１８】
【図１】本発明の実施形態に係る警報機能付き照明装置を含む監視システムを示す構成図である。
【図２】図１に示した警報機能付き照明装置を示す概略構成図である。
【図３】図２に示した無線操作部の構成図である。
【図４】図２に示した照明装置の構成図である。
【図５】照明装置の変形例を示す外観斜視図である。
【図６】本実施形態に係る警報機能付き照明装置の動作を示すフローチャートである。
【発明を実施するための形態】
【００１９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００２０】
図１は、本発明の実施形態に係る警報機能付き照明装置を含む監視システムを示す構成図である。図１に示すように、監視システム１００は、警報機能付き照明装置１と、監視センター２００とから構成され、警報機能付き照明装置１からの情報を監視センター２００に送信し、この情報に基づき監視センター２００において各ユーザに異常が発生しているかを判断するものである。この監視センター２００は、例えば高齢者の見守りシステムとして活用することができる。以下、警報機能付き照明装置１の詳細について説明する。
【００２１】
図２は、図１に示した警報機能付き照明装置１を示す概略構成図である。図１に示すように、警報機能付き照明装置１は、無線操作部１０と、照明装置２０とから構成され、無線操作部１０を操作することにより照明装置２０をオンオフさせたり照明装置２０内の警報機能部（後述の符号２３）を動作させたりするものである。
【００２２】
図３は、図２に示した無線操作部１０の構成図である。図３に示すように、無線操作部１０は、例えば壁面や柱等の専門業者でなければ移設が困難な固定体ＦＢ（図２参照）に対して取り付けられた定置式の操作部であって、本実施形態では図３に示すように壁面埋め込み型の押しボタンスイッチによって構成されている。本実施形態では無線操作部１０を壁面埋め込み型の押しボタンスイッチによって構成することにより、既存の照明スイッチとの変更点が少なく、ユーザに与えてしまう違和感を抑えることができる。この無線操作部１０は、スイッチ部１１、発電部材１２、及び無線送信部１３を主体に構成されている。
【００２３】
スイッチ部１１は、ユーザの操作対象となる部位である。このスイッチ部１１は、一側１１ａを支点とし他側１１ｂを押し込むことにより操作可能なものであって、押し込まれた他側１１ｂは自動的に初期位置に復帰し、再度押し込み操作を待つ状態となる。
【００２４】
発電部材１２は、スイッチ部１１の裏面側に設けられ、スイッチ部１１へのユーザ操作が有った場合に発電を行うものである。発電部材１２は、例えば圧電型の発電素子によって構成されている。また、発電部材１２は平面コイルによって構成さていてもよい。この場合、スイッチ部１１の他側１１ｂには磁石が設けられることとなる。磁石のＮ極及びＳ極の２つの磁極が並ぶ方向は平面コイルのコイル軸に沿ったものとなる。このような構成により、スイッチ部１１に対して押し込み操作されると、磁石の移動によって平面コイルに電流が流れて発電されることとなる。また、スイッチ部１１の復帰に伴っても同様に発電が行われる。なお、発電部材１２は、上記構成に限らず、他の公知等の技術が採用されてもよい。
【００２５】
無線送信部１３は、発電部材１２からの電力を利用して操作信号を無線送信するものであって、送信回路１３ａと送信アンテナ１３ｂとによって構成されている。この無線送信部１３（特に送信アンテナ１３ｂ）は、例えば無線操作部１０の裏面側（すなわち固定体ＦＢ側）に設けられ、外観上視認できないように設置されることが好ましい。
【００２６】
図４は、図２に示した照明装置２０の構成図である。照明装置２０は、例えば天井部に設けられたいわゆるシーリングライトであって、光源２１、無線受信部２２、警報機能部２３、及び制御部２４を備えている。この照明装置２０には天井部内の配線を通じて各部２１〜２４に電力が供給される。
【００２７】
光源２１は、蛍光灯、電球、ＬＥＤ（light emitting diode）蛍光灯、及びＬＥＤ電球等のいずれか１つによって構成されており、電力供給を受けて発光するものである。なお、照明装置２０において光源２１の数は、１つに限らず、複数個であってもよい。このため、光源２１は、図４に示すように、例えば、２つの環状の白色光ライト２１ａ，２１ｂと、１つのオレンジ色豆電球２１ｃとで構成されていてもよい。
【００２８】
無線受信部２２は、無線送信部１３から無線送信された操作信号を受信するものであって、例えば受信アンテナ２２ａと受信回路２２ｂとから構成されている。無線受信部２２は、操作信号を受信すると、その旨の情報を制御部２４に送信する。なお、無線受信部２２は、外観上、例えばシーリングライトの光源２１を覆う半透明ケース２０ａの内側に設けられていることが好ましい。
【００２９】
警報機能部２３は、監視領域の異常が検出された場合に警報を行うものであり、ガス、熱及び煙の少なくとも１つを検出対象とするセンサ２３ａ、及び、音声出力部２３ｂを備えている。この警報機能部２３は、図４に示すように、例えばシーリングライトの光源２１を覆う半透明ケース２０ａの外側に設けられている。特に、光源２１が環状の白色光ライト２１ａ，２１ｂを備える場合には、半透明ケース２０ａの中央部に警報機能部２３を設けることで白色光ライト２１ａ，２１ｂから光を阻害することなく室内を照明することができる。
【００３０】
制御部２４は、警報機能部２３が有するセンサ２３ａから信号に応じて、ガス漏れや火災（すなわち監視領域の異常）を検出する異常検出機能を有している。また、制御部２４は、異常検出機能により監視領域の異常を検出した場合、警報機能部２３の音声出力部２３ｂから、その旨の音声を出力させる。
【００３１】
また、制御部２４は、無線受信部２２にて操作信号を受信したタイミングに応じて光源２１の点灯状態及び警報機能部２３の動作状態の少なくとも一方を変化させるものである。
【００３２】
点灯状態の変化とは以下のように行われる。例えば、制御部２４は、複数の光源２１の全てが消灯している場合において無線受信部２２が操作信号を受信すると、全ての光源２１を点灯させたり、いずれか１つの光源２１を点灯させたりする。また、制御部２４は、複数の光源２１の全てが点灯している場合において無線受信部２２が操作信号を受信すると、全ての光源２１を消灯させたり、いずれか１つの光源２１を消灯させたりする。なお、点灯状態の変化とは、点灯及び消灯の変化のみに限らず、光源２１から出射光の強度を変化させる調光を含む。
【００３３】
また、警報機能部２３の動作状態の変化とは以下のように行われる。例えば、制御部２４は、警報機能部２３の音声出力部から警報音声が出力されている場合において無線受信部２２が操作信号を受信すると、警報音声の出力を停止させる。また、制御部２４は、警報機能部２３の音声出力部から警報音声が出力されていない場合において無線受信部２２が操作信号を受信すると、警報機能部２３が動作状態にある旨の音声を出力させる。警報機能部２３が動作状態にある旨の音声とは、例えば「あなたの生活を見守っています。」や「ガス漏れ監視を行っています。」などの音声である。
【００３４】
特に、制御部２４は、操作信号を受信して光源２１が消灯している状態から点灯させるときに（複数の光源２１を備える場合にはいずれか１つ以上を消灯している状態から点灯させるときに）、警報機能部２３から、警報機能部２３が動作状態にある旨の音声を出力させる。これにより、夕方以降の帰宅時などの、光源２１を点灯させるという入室のタイミングで、警報機能部２３が動作状態にある旨をユーザに伝えて、保安状態にあることの安心感をユーザに与えることが可能となる。
【００３５】
ここで、上記からも明らかなように、本実施形態においては照明機能と警報機能とに関する制御部２４が共通化されている。すなわち、光源２１の点灯制御と警報機能部２３の異常判断機能とが同じ制御部２４によって行われている。これにより、例えば照明に警報器を外付ける場合のように、それぞれの制御部が必要となってしまう事態を防止している。
【００３６】
なお、制御部２４については上記の如く共通化されていることが好ましいが、これに限らず、共通化されていなくともよい。また、共通化されていない場合には、警報機能部２３の制御部に異常判断機能が搭載されることは言うまでも無い。
【００３７】
図５は、照明装置２０の変形例を示す外観斜視図である。図５に示すように、照明装置２０は、天井部に設けられるものに限らず、例えば壁面に設けられてもよい。この場合、照明装置２０には壁面内の配線を通じて各部２１〜２４に電力が供給される。さらに、照明装置２０は、光源２１及び警報機能部２３の双方を筐体２５で収納していることが好ましい。なお、ここでいう筐体２５とは、完全な箱型であり光に出射側のみが光を透過する半透明部材によって構成されるものであるが、光の出射側が開放された一部開放の箱型であってもよい。このように構成することにより、外見上、警報機能部２３を備えない照明と同様とでき、意匠性の低下を防止することが可能となるためである。
【００３８】
なお、警報機能部２３が完全な箱型の筐体２５に収納される場合、筐体２５は、筐体２５外の煙、熱、及びガスの少なくとも１つを警報機能部２３（特にセンサ）まで導くための開口部２５ａが設けられている。また、警報機能部２３が一部開放の箱型の筐体２５に収納されている場合であっても、筐体２５の開放方向によっては開口部２５ａが設けられていることが好ましい。このような開口部２５ａは、大きな１つの開口で構成されてもよいが、図５に示すように複数の小孔によって形成されることが外観上も好ましい。
【００３９】
次に、本実施形態に係る警報機能付き照明装置１の動作を説明する。図６は、本実施形態に係る警報機能付き照明装置１の動作を示すフローチャートである。なお、図６に示すフローチャートにおいては、光源２１が２つの環状の白色光ライト２１ａ，２１ｂと、１つのオレンジ色豆電球２１ｃを有する場合を例に説明する。また、図６に示すフローチャートは繰り返し実行されているものとする。
【００４０】
図６に示すように、まず、制御部２４は、無線受信部２２にて操作信号を受信したか否かを判断する（Ｓ１）。操作信号を受信していないと判断した場合（Ｓ１：ＮＯ）、受信したと判断するまで、この処理が繰り返される。
【００４１】
一方、操作信号を受信したと判断した場合（Ｓ１：ＹＥＳ）、制御部２４は、光源２１の点灯状態及び警報機能部２３の動作状態を把握する（Ｓ２）。このとき、制御部２４は、例えば光源２１の点灯状態がいずれの区分に属するかを判断する。ここで、図６に示す例における光源２１は、２つの環状の白色光ライト２１ａ，２１ｂのみが点灯する状態（区分１）、１つのオレンジ色豆電球２１ｃのみが点灯する状態（区分２）、及び、２つの環状の白色光ライト２１ａ，２１ｂ及び１つのオレンジ色豆電球２１ｃの全てが消灯する状態（区分３）のいずれかの点灯状態で動作する。この場合、制御部２４は、現在の光源２１の点灯状態が区分１〜３のいずれに属するかを判断する。また、制御部２４は、異常判断機能の判断結果と停止操作があったか否かとに基づいて、警報機能部２３の動作状態（警報音声出力中か、そうでないか）についても判断する。
【００４２】
次に、制御部２４は、警報機能部２３により警報音声出力中であるかを判断する（Ｓ３）。警報音声出力中であると判断した場合（Ｓ３：ＹＥＳ）、制御部２４は、警報機能部２３の動作状態を変化させる（Ｓ４）。このとき、制御部２４は、警報音声を所定時間停止させる。その後、図６に示す処理は終了する。
【００４３】
警報音声出力中でないと判断した場合（Ｓ３：ＮＯ）、制御部２４は、光源２１の点灯状態が区分１であるかを判断する（Ｓ５）。区分１であると判断した場合（Ｓ５：ＹＥＳ）、制御部２４は、光源２１の点灯状態を変化させる（Ｓ６）。このとき、制御部２４は、区分１から区分２に変化させる。すなわち、制御部２４は、２つの環状の白色光ライト２１ａ，２１ｂのみが点灯する状態から、１つのオレンジ色豆電球２１ｃのみが点灯する状態に変化させる。その後、図６に示す処理は終了する。
【００４４】
区分１でないと判断した場合（Ｓ５：ＮＯ）、制御部２４は、区分２であるかを判断する（Ｓ７）。区分２であると判断した場合（Ｓ７：ＹＥＳ）、制御部２４は、光源２１の点灯状態を変化させる（Ｓ８）。このとき、制御部２４は、区分２から区分３に変化させる。すなわち、制御部２４は、１つのオレンジ色豆電球２１ｃのみが点灯する状態から、２つの環状の白色光ライト２１ａ，２１ｂ及び１つのオレンジ色豆電球２１ｃの全てが消灯する状態に変化させる。その後、図６に示す処理は終了する。
【００４５】
区分２でないと判断した場合（Ｓ７：ＮＯ）、制御部２４は、光源２１の点灯状態が区分３であると判断し、光源２１の点灯状態及び警報機能部２３の動作状態の双方を変化させる（Ｓ９）。このとき、制御部２４は、光源２１の点灯状態について、区分３から区分１に変化させる。すなわち、制御部２４は、２つの環状の白色光ライト２１ａ，２１ｂ及び１つのオレンジ色豆電球２１ｃの全てが消灯する状態から、２つの環状の白色光ライト２１ａ，２１ｂのみが点灯する状態に変化させる。加えて、制御部２４は、光源２１が消灯する状態から点灯させるのに併せて、警報機能部２３が動作中である旨の音声を、警報機能部２３の音声出力部から出力させる。その後、図６に示す処理は終了する。
【００４６】
次に、図１及び図４を参照して、本実施形態に係る警報機能付き照明装置１と監視センター２００との情報の送受信等の動作を説明する。まず、警報機能付き照明装置１の制御部２４は、警報機能部２３の動作に関する情報（警報音声の出力情報、及び、警報音声の出力を停止させた旨の情報など）を監視センター２００に送信している。さらに、制御部２４は、異常判断機能の判断結果に関する情報についても監視センター２００に送信している。
【００４７】
監視センター２００は、異常判断機能により監視領域の異常が判断され警報音声が出力された旨の情報を受信したにも拘わらず、その後所定時間内に、警報音声の出力を停止させた旨の情報を受信せず、且つ、異常判断機能により監視領域の異常が解消した旨の情報を受信しなかった場合、異常状態が長期に亘り継続したと判断する。これにより、監視センター２００側は、ユーザ側に連絡を入れたり、ユーザ側に人員や救急車両等を派遣したりするなどの対策を行うこととなる。
【００４８】
さらに、制御部２４は、無線受信部２２の操作信号の受信に関する情報（操作信号の受信した旨の情報）を監視センター２００に送信している。監視センター２００は、これらの情報から、ユーザに異常が発生しているかを判断する。
【００４９】
すなわち、監視センター２００は、過去所定期間において、警報機能付き照明装置１から操作信号を受信した旨の情報が送信されているかを判断する。過去所定期間において操作信号を受信した旨の情報が送信されていると判断した場合、監視センター２００はユーザに異常が無いと判断する。
【００５０】
一方、過去所定期間において操作信号を受信した旨の情報が送信されていないと判断した場合、監視センター２００は、ユーザに異常が発生している可能性があると判断する。すなわち、過去所定期間に亘り照明を利用していないことから、ユーザに異常が発生している可能性があると判断する。これにより、監視センター２００側は、ユーザ側に連絡を入れたり、ユーザ側に人員や救急車両等を派遣したりするなどの対策を行うこととなる。
【００５１】
このようにして、本実施形態に係る警報機能付き照明装置１によれば、操作信号を無線送信して光源２１の点灯状態及び警報機能部２３の動作状態を変化させるため、定置式の操作部を利用しつつも配線接続を要しないこととなる。さらに、ユーザ操作が有った場合に発電を行い、この電力を利用して操作信号を無線送信することから、電池を必要としない構成となり、電池切れの可能性を無くすことができる。従って、定置式の操作部を利用しつつも配線接続を要せず、且つ、電池を切らさないようにしなければならないというユーザへの負担を強いる必要が無い警報機能付き照明装置１を提供することができる。
【００５２】
また、制御部２４は、操作信号を受信して光源２１を消灯している状態から点灯させるときに、警報機能部２３から音声を出力させるため、夕方以降の帰宅時などの入室のタイミングで、警報機能部２３が動作していることをユーザに伝えることができ、警報機能部２３が有効に機能し保安状態にあることの安心感をユーザに与えることができる。
【００５３】
また、照明装置２０は、光源２１、及び警報機能部２３の双方を収納する筐体２５を備えるため、警報機能部２３が筐体２５内に収納されて、外見上は通常の照明装置２０と同様とでき、意匠性の低下を防止することが可能となる。また、筐体２５は筐体２５外の煙、熱及びガスの少なくとも１つを開口部２５ａを通じて警報機能部２３まで導くことから、警報機能部２３が筐体２５内に収納されることで監視領域の異常検知感度が極端に低下してしまうことも防止することができる。
【００５４】
また、本実施形態に係る監視システム１００によれば、警報機能部２３の動作に関する情報を受信する監視センター２００に対して、操作信号の受信に関する情報を送信するため、例えばガス警報器の情報を集約するガス管理センターなどに、操作信号の受信に関する情報を送信して、照明の利用状況をガス管理センターなどで監視することができる。そして、この監視結果から、例えばユーザが長期に亘って照明を利用していないなどの場合には、ユーザに異常が発生していると判断する。このように、警報機能部２３に応じたセンターにおいて、照明の利用状況からユーザの見守りシステムを実現することができる。
【００５５】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００５６】
例えば、上記において警報機能部２３の動作状態の変化とは音声に関する変化であるが、これに限らず、検出感度の変化（警報閾値の変化）など、他の動作状態の変化であってもよい。また、警報機能付き照明装置１において共通の制御部２４を有しない構成である場合、異常判断機能の判断結果に関する情報は、警報機能部２３の動作に関する情報の１つとして監視センター２００に送信されることとなる。
【００５７】
さらに、上記監視システム１００は、警報機能付き照明装置１及び監視センター２００とから構成されているが、これに加えて、両者間に中継基地局等が介在するものであってもよい。
【符号の説明】
【００５８】
１      ：警報機能付き照明装置
１０    ：無線操作部
１１    ：スイッチ部
１２    ：発電部材
１３    ：無線送信部
２０    ：照明装置
２１    ：光源
２２    ：無線受信部
２３    ：警報機能部
２４    ：制御部
２５    ：筐体
２５ａ  ：開口部
１００  ：監視システム
２００  ：監視センター
ＦＢ    ：固定体
【図１】
2017147167.tif 000003
【図２】
2017147167.tif 000004
【図３】
2017147167.tif 000005
【図４】
2017147167.tif 000006
【図５】
2017147167.tif 000007
【図６】
2017147167.tif 000008